(57)【要約】【課題】発酵或いは乾燥処理が、短時間で、能率良く行え、肥料化、飼料化に最適で、有機性廃棄物等が処理ドラム外に出るのを阻止でき、処理ドラム内と外との十分な通気を確保でき、処理がスムーズに行え、臭いが囲繞外装体外に漏れず、環境衛生上優れ、取扱いが簡単で、メンテナンスも容易で、構成簡素で、耐久性に優れ、量産に適し、低廉に提供でき、経済性の優れた処理機を提供する。【解決手段】回転ドラムＢと一方のドラム端部Ｃと他方のドラム端部Ｄとで処理ドラムを形成し、処理ドラムを全体的に覆う囲繞外装体Ｇを形成し、一方のドラム端部Ｃには、投入手段と温風導入部３２を設け、他方のドラム端部Ｄには、排出部３５と温風排気部３７とを設け、回転ドラムＢには、窓孔部１１と窓蓋板１２を設け、窓蓋板１２に複数の通気孔１３を穿設すると共に、窓蓋板１２の内表面を通気フィルター１５で覆うよう形成する。【選択図】　　　　図１
2004141791.tif 000002
【特許請求の範囲】
【請求項１】
生ゴミの如き有機性廃棄物等を発酵或いは乾燥処理して、肥料や飼料等として活用できるようにした発酵及び乾燥処理機であって、架台に回転自在に横設される回転ドラムと、回転ドラムの一端部を塞ぐように架台に取付け可能な一方のドラム端部と、回転ドラムの他端部を塞ぐように架台に取付け可能な他方のドラム端部とで処理ドラムを形成し、この処理ドラムを全体的に覆う囲繞外装体を形成し、一方のドラム端部には、有機性廃棄物投入用の投入手段と、適宜温風供給手段からの温風を処理ドラム内に導入する温風導入部とを設け、他方のドラム端部には、発酵、乾燥処理された有機性廃棄物等を排出する排出部と、温風供給手段からの温風を処理ドラム外に排気する温風排気部とを設け、回転ドラムには、適数の窓孔部を形成すると共に、この窓孔部に装着される窓蓋板を形成し、この窓蓋板に複数の通気孔を穿設すると共に、窓蓋板の内表面を通気フィルターで覆うように形成したことを特徴とする発酵及び乾燥処理機。
【請求項２】
生ゴミの如き有機性廃棄物等を発酵或いは乾燥処理して、肥料や飼料等として活用できるようにした発酵及び乾燥処理機であって、架台の上に回転自在に横設される回転ドラムと、回転ドラムの一端部を塞ぐように架台の上に取付け可能な一方のドラム端部と、回転ドラムの他端部を塞ぐように架台の上に取付け可能な他方のドラム端部とで処理ドラムを形成し、一対のドラム端部に回転自在となるよう支持される撹拌羽根体と、この撹拌羽根体が回転ドラムと一緒に回転したり、或いは撹拌羽根体の回転を阻止できるように形成される連繋手段と、処理ドラムを覆う囲繞外装体とを設け、一方のドラム端部には、有機性廃棄物投入用の投入手段と、適宜温風供給手段からの温風を処理ドラム内に導入する温風導入部とを設け、他方のドラム端部には、発酵、乾燥処理された有機性廃棄物等を排出する排出部と、温風供給手段からの温風を処理ドラム外に排気する温風排気部とを設け、回転ドラムには、適数の窓孔部を形成すると共に、この窓孔部に装着される窓蓋板を形成し、この窓蓋板に複数の通気孔を穿設すると共に、窓蓋板の内表面を通気フィルターで覆うように形成したことを特徴とする発酵及び乾燥処理機。
【請求項３】
温風排気部から処理ドラム外に排気される温風の一部或いは全部を適宜切換手段によって、再び温風導入部から処理ドラム内に導入できるように構成したことを特徴とする請求項１または請求項２記載の発酵及び乾燥処理機。
【発明の詳細な説明】
【０００１】
【発明の属する技術分野】
本発明は、主に、生ゴミの如き有機性廃棄物等を肥料や飼料等として活用すべく発酵或いは乾燥処理が行えるようにしたもので、特に、これらをより短い時間で能率良く処理できるように工夫した発酵及び乾燥処理機に関するものである。
【０００２】
【従来の技術】
従来、この種の発酵或いは乾燥処理機としては種々のものが提供されており、例えば、特許文献１の有機性廃棄物の処理装置のように、ドラムを回転自在に支持し、このドラム内表面に撹拌羽根を固着し、ドラムを回転せしめることで、ドラム内の有機性廃棄物等を撹拌できるようにしたタイプのものがある。
【０００３】
【特許文献１】
特公平７−７４１１２号公報（図１、図２、図３）
【０００４】
【発明が解決しようとする課題】
ところが、前述の如き処理装置にあっては、ドラム内の通気性が悪く、有機性廃棄物等の発酵或いは乾燥処理に時間がかかる難点があった。
しかも、ドラム内表面の撹拌羽根部分に有機性廃棄物等が付着してしまうと、これらがそのままドラム内にずっと残ってしまう難点や、ドラム内表面に有機性廃棄物等が付着した場合も、これらがドラム内に残り易い難点等もあった。
【０００５】
【課題を解決するための手段】
そこで、本発明は、前述の如き難点等を解消すると共に、短時間で能率の良い有機性廃棄物等の発酵或いは乾燥処理が期待でき、有機性廃棄物等の肥料化や飼料化に最適で、しかも、取扱いが簡単で、メンテナンスも容易に行える発酵及び乾燥処理機を提供できるようにすべく創出されたものである。
しかして、請求項１記載の発酵及び乾燥処理機にあっては、生ゴミの如き有機性廃棄物等を発酵或いは乾燥処理して、肥料や飼料等として活用できるようにした発酵及び乾燥処理機であって、架台Ａに回転自在に横設される回転ドラムＢと、回転ドラムＢの一端部を塞ぐように架台Ａに取付け可能な一方のドラム端部Ｃと、回転ドラムＢの他端部を塞ぐように架台Ａに取付け可能な他方のドラム端部Ｄとで処理ドラムを形成し、この処理ドラムを全体的に覆う囲繞外装体Ｇを形成し、一方のドラム端部Ｃには、有機性廃棄物投入用の投入手段と、適宜温風供給手段からの温風を処理ドラム内に導入する温風導入部３２とを設け、他方のドラム端部Ｄには、発酵、乾燥処理された有機性廃棄物等を排出する排出部３５と、温風供給手段からの温風を処理ドラム外に排気する温風排気部３７とを設け、回転ドラムＢには、適数の窓孔部１１を形成すると共に、この窓孔部１１に装着される窓蓋板１２を形成し、この窓蓋板１２に複数の通気孔１３を穿設すると共に、窓蓋板１２の内表面を通気フィルター１５で覆うように形成する手段を採用した。
【０００６】
また、請求項２記載の発酵及び乾燥処理機にあっては、生ゴミの如き有機性廃棄物等を発酵或いは乾燥処理して、肥料や飼料等として活用できるようにした発酵及び乾燥処理機であって、架台Ａの上に回転自在に横設される回転ドラムＢと、回転ドラムＢの一端部を塞ぐように架台Ａの上に取付け可能な一方のドラム端部Ｃと、回転ドラムＢの他端部を塞ぐように架台Ａの上に取付け可能な他方のドラム端部Ｄとで処理ドラムを形成し、一対のドラム端部Ｃ、Ｄに回転自在となるよう支持される撹拌羽根体Ｅと、この撹拌羽根体Ｅが回転ドラムＢと一緒に回転したり、或いは撹拌羽根体Ｅの回転を阻止できるように形成される連繋手段と、処理ドラムを覆う囲繞外装体Ｇとを設け、一方のドラム端部Ｃには、有機性廃棄物投入用の投入手段と、適宜温風供給手段からの温風を処理ドラム内に導入する温風導入部３２とを設け、他方のドラム端部Ｄには、発酵、乾燥処理された有機性廃棄物等を排出する排出部３５と、温風供給手段からの温風を処理ドラム外に排気する温風排気部３７とを設け、回転ドラムＢには、適数の窓孔部１１を形成すると共に、この窓孔部１１に装着される窓蓋板１２を形成し、この窓蓋板１２に複数の通気孔１３を穿設すると共に、窓蓋板１２の内表面を通気フィルター１５で覆うように形成する手段を採用した。
【０００７】
更に、請求項３記載の発酵及び乾燥処理機にあっては、温風排気部３７から処理ドラム外に排気される温風の一部或いは全部を適宜切換手段によって、再び温風導入部３２から処理ドラム内に導入できるように構成する手段を採用した。
【０００８】
【発明の実施の形態】
以下、本発明を図示例に基づいて説明すると、次の通りである。
本発明は、例えば、処理ドラム内に、水分調整材としてのおが屑等を投入し、加えて、公知の微生物を混入し、この中に一般家庭や、企業等から出される生ゴミの如き有機性廃棄物を投入して、撹拌することにより、処理ドラム内で微生物を繁殖、活性化せしめ、有機性廃棄物の発酵、分解を促し、有機性廃棄物の大幅な減容や、或いは、乾燥処理により肥料や飼料等として活用できるようにした発酵及び乾燥処理機である。
【０００９】
そして、この発酵及び乾燥処理機は、適宜構成の架台Ａの上に適宜支持手段を介して回転自在に横設されると共に、適宜駆動手段を介して正逆自在に回転可能となるよう形成される回転ドラムＢと、適宜取付手段を介して架台Ａの上に取付けられると共に、回転ドラムＢの一端部を気密的に塞ぐことができるように形成される一方のドラム端部Ｃと、適宜取付手段を介して架台Ａの上に取付けられると共に、回転ドラムＢの他端部を気密的に塞ぐことができるように形成される他方のドラム端部Ｄとからなる処理ドラムを形成し、この処理ドラムを囲繞外装体Ｇによって全体的に覆うようにして構成されたものである。
しかも、回転ドラムＢには、適数の窓孔部１１を形成すると共に、この窓孔部１１に装着される窓蓋板１２を形成し、この窓蓋板１２に多数の比較的小さな通気孔１３を穿設すると共に、窓蓋板１２の内表面を通気フィルター１５で互換装着可能に覆うようにして構成されている。
【００１０】
ところで、図３、図４、図５に示す処理機にあっては、一対のドラム端部Ｃ、Ｄの中央部分に設けた軸受を介して撹拌羽根体Ｅが回転自在となるよう支持してあり、しかも、この撹拌羽根体Ｅは、適宜連繋手段を介して回転ドラムＢと一緒に回転したり、或いはその回転が阻止できるように形成されている。
【００１１】
また、図６、図７、図８、図９に示す処理機にあっては、一対のドラム端部Ｃ、Ｄの下部左右に夫々設けた軸受を介して一対の撹拌羽根体Ｆが回転自在となるよう支持してあり、しかも、この撹拌羽根体Ｆは、適宜駆動手段によって夫々所定向きに回転するように形成されている。
【００１２】
尚、図示は省略したが、一対のドラム端部Ｃ、Ｄの中央部分に設けた軸受を介して適宜撹拌羽根体が回転自在となるよう支持し、しかも、この撹拌羽根体は、適宜駆動手段によって所定向きに回転するように形成しても良い。
【００１３】
更に、本発明の処理機は、一方のドラム端部Ｃ（或いは、他方のドラム端部Ｄ）には、有機性廃棄物投入用の投入手段と、適宜温風供給手段からの温風（或いは、熱風）を処理ドラム内に導入する温風導入部３２とを設け、他方のドラム端部Ｄ（或いは、一方のドラム端部Ｃ）には、発酵、乾燥処理された有機性廃棄物等を排出する排出部３５と、温風供給手段からの温風を処理ドラム外に排気する温風排気部３７とを設けてある。
【００１４】
前記架台Ａは、例えば、アングル材等の適宜型材や、その他鋼材や、その他金属材等を溶接手段等によって適宜形状に連結して構成され、安定性に優れ、強度が高く、耐久性に優れ、できる限りコンパクトとなるように組立てられたものが利用される。しかも、この架台Ａには、例えば、四つの支持ローラ１が回転自在に支持されていると共に、この四つの支持ローラ１の回転中心が平行となるように揃えられており、この四つの支持ローラ１によって回転ドラムＢが僅かな力でスムーズに回転するよう形成されている。
また、架台Ａには、一対の取付支持部２と一対の取付支持部３が一対のドラム端部Ｃ、Ｄ夫々の近傍に夫々立設されており、この取付支持部２、３によって一対のドラム端部Ｃ、Ｄ夫々が架台Ａに安定的に支持される共に、取付支持部２を中心として水平方向に揺動自在となるように支持されている。
更に、架台Ａには、駆動軸にスプロケット５が固着されているギャードモータ４が配されている。
【００１５】
前記回転ドラムＢは、適宜金属材等によって略円筒状に形成されるドラム基筒１０によって構成されており、その筒心（回転中心線）が略水平となると共に、この筒心を中心として正逆回転自在となるように架台Ａの四つの支持ローラ１の上に横設されている。
更に、ドラム基筒１０の外表面部分には、支持ローラ１に直に接触する一対のガイドリング２０が所定位置（支持ローラ１の間隔に対応した位置）に外装固着してあり、回転ドラムＢ（ドラム基筒１０）の耐久性が向上するように形成してある。しかも、ガイドリング２０には短いフランジ部分が周設してあり、このフランジ部分が支持ローラ１の側面に接触することで、回転ドラムＢの筒心方向での移動を規制している。
【００１６】
また、回転ドラムＢは、ドラム基筒１０の一端寄り（或いは、他端寄り、或いは、中間部でも良い）外表面部分に、前記ギャードモータ４のスプロケット５に噛み合うチェーン２１が外装固着してあり、ギャードモータ４の駆動回転力が回転ドラムＢに確実に伝達されて、回転ドラムＢを僅かな力でスムーズに回転せしめられるように形成してある。
【００１７】
しかして、前記支持手段は、例えば、架台Ａに設けた四つの支持ローラ１と、回転ドラムＢに設けた一対のガイドリング２０とによって構成され、回転ドラムＢを安定的に支持すると共に、回転ドラムＢを滑らかに正逆回転せしめられるように構成してある。
【００１８】
また、前記駆動手段は、例えば、架台Ａに固定したギャードモータ４と、ギャードモータ４の駆動軸に固定したスプロケット５と、ドラム基筒１０に固定したチェーン２１とによって構成され、回転ドラムＢを僅かな出力で確実に、スムーズに、且つ安定的に正逆回転せしめられるように構成してある。
【００１９】
加えて、回転ドラムＢは、例えば、比較的大きな略矩形状の窓孔部１１がドラム基筒１０の円周方向に沿って等間隔に四つ開口せしめてあり、また、この窓孔部１１に合致する略湾曲矩形板状の窓蓋板１２が、適宜配される止具１４を介して取外し可能に窓孔部１１に装着されている。しかも、窓蓋板１２には、例えば、小円孔状の複数の通気孔１３が穿設されており、更に、窓蓋板１２の内表面には、処理ドラム内の有機性廃棄物等を通さず、且つ通気性を備えた通気フィルター１５が互換装着可能に配してある。尚、窓蓋板１２は、例えば、パンチングメタル等を使用して構成することができる。また、通気フィルター１５は、窓蓋板１２の内表面を密接するように覆うと共に、その互換装着が簡単に行えるように構成されている。
【００２０】
前記一方のドラム端部Ｃは、適宜金属材等によって形成され、例えば、回転ドラムＢに合致するような略短円筒状の周胴部と、この周胴部の一端がわを閉塞する側板部とからなり、周胴部には、前記架台Ａに立設させた取付支柱等の取付支持部２に揺動自在に取付けられる一方の取付アーム３１と、前記架台Ａに立設させた取付杆状の取付支持部３にボルト、ナット等を介して連結自在に取付けられる他方の取付片とが設けられ、取付支持部２を支点として水平方向に揺動可能となるよう構成されている。
また、側板部の中央には撹拌羽根体Ｅを回転自在に支持する軸受が固定されており、側板部上部と周胴部上部とに跨るように、投入部３０に連通する投入筒が固定されている。
更に、周胴部上部には、温風供給手段からの温風（或いは、熱風）が供給される温風導入部３２が設けられている。
尚、一方のドラム端部Ｃは、例えば、回転ドラムＢの一端部に合致して気密的に閉塞するような側板部によって構成したものであっても良い。
【００２１】
前記他方のドラム端部Ｄは、適宜金属材等によって形成され、例えば、回転ドラムＢの他端部に合致して気密的に閉塞するような側板部で構成し、この側板部には、前記架台Ａに立設させた取付支柱等の取付支持部２に揺動自在に取付けられる一方の取付アーム３６と、前記架台Ａに立設させた取付杆状の取付支持部３にボルト、ナット等を介して連結自在に取付けられる他方の取付片とが設けられ、取付支持部２を支点として水平方向に揺動可能となるよう構成されている。
また、側板部の中央には撹拌羽根体Ｅを回転自在に支持する軸受が固定されており、側板部下部には、排出口とこの排出口を開閉自在な蓋板からなる排出部３５が設けられている。
更に、側板部上部には、処理ドラム内の温風を排気するための温風排気部３７が設けられている。
尚、他方のドラム端部Ｄは、例えば、回転ドラムＢの他端部に合致するような略短円筒状の周胴部と、この周胴部の一端がわを閉塞する側板部とによって構成し、回転ドラムＢの他端部に合致して気密的に閉塞するよう構成したものであっても良い。
【００２２】
ところで、回転ドラムＢとドラム端部Ｃ、Ｄとの接触部分夫々には、還状のパッキン（例えば、グランドパッキン）が介装されて、回転ドラムＢが摺動し易く且つその部分の気密性が確実に保てるように構成されている。
【００２３】
具体的には、ドラム端部Ｃ、Ｄに、横断面略溝状のリング体を外装固着し、このリング体の溝内に押圧リングとパッキンを夫々収容し、回転ドラムＢの両開放端部に、横断面略Ｌ字状のリング体を外装固着し、この横断面略Ｌ字状のリング体の先端周縁部分を、前記横断面略溝状のリング体の溝部分に収容せしめるようにして構成されている。このとき、リング体に螺着した複数の締付用ネジによって押圧リングを押圧し、この押圧リングによってパッキンが前記リング体の先端周縁部分に均一に圧接されて、この部分の気密性等が確実に維持できるようにしてある（図示せず）。
【００２４】
撹拌羽根体Ｅは、一方のドラム端部Ｃの軸受と他方のドラム端部Ｄの軸受とで回転自在に支えられる回転軸４０と、処理ドラムの内表面近傍に僅かに接触するような状態（或いは、非接触状態）で配される一対の略捩り長尺帯板状の羽根片４１と、回転軸４０の一端寄り部分と一方の羽根片４１の一端寄り部分とを連結する略帯板状の端部連結片４２と、回転軸４０の他端寄り部分と他方の羽根片４１の他端寄り部分とを連結する略帯板状の端部連結片４２と、回転軸４０の中央部分と一方の羽根片４１の他端寄り部分及び他方の羽根片４１の一端寄り部分を連結する略帯板状の中央連結片４３とを備えたものとなっている。
【００２５】
しかも、一方の羽根片４１は、その一端がわが他端がわに対して撹拌羽根体Ｅの回転方向に於いて先行するように全体的に緩やかに捩られており、また、他方の羽根片４１は、その他端がわが一端がわに対して撹拌羽根体Ｅの回転方向に於いて先行するように全体的に緩やかに捩られている。すなわち、回転ドラムＢと共に撹拌羽根体Ｅが回転した場合、一方の羽根片４１にあっては、ドラム内の有機性廃棄物等を持上げて落下させるようにしながら、有機性廃棄物等を一端がわから他端がわにゆっくり移動せしめる働きをし、反対に、他方の羽根片４１にあっては、ドラム内の有機性廃棄物等を持上げて落下させるようにしながら、有機性廃棄物等を他端がわから一端がわにゆっくり移動せしめる働きをするように構成してある。しかして、ドラム内の有機性廃棄物等は、通気性が良くなると共に、均一で理想的な撹拌状態が得られるようになり、能率の良い発酵或いは乾燥が期待できるようになる。
【００２６】
ところで、一方の羽根片４１の板幅を他方の羽根片４１の板幅より僅かに大きくしておき、ドラム内の有機性廃棄物等を一端がわから他端がわに移動せしめる働きを僅かに強くして、他端がわのドラム端部Ｄに設けた排出部３５から、発酵或いは乾燥処理済み有機性廃棄物等をよりスムーズに排出できるよう形成しても良いし、或いは、一方の羽根片４１の板幅と他方の羽根片４１の板幅とを同一に揃えるようにして、処理ドラム内において有機性廃棄物等をバランス良く移送できるよう形成しても良い。
【００２７】
また、回転軸４０は、例えば、中央の長軸部と、軸受で夫々支持される両端の短軸部とで構成し、短軸部夫々が長軸部に対して分離接続自在となるように形成されている。すなわち、発酵及び乾燥処理機のメンテナンス等によって、取付支持部２を支点としてドラム端部Ｃ、Ｄが回転ドラムＢから離れるように揺動せしめたときに、短軸部と長軸部とが容易に分離でき、しかも、ドラム端部Ｃ、Ｄが回転ドラムＢに接近するように揺動せしめたときに、短軸部と長軸部とが容易に且つ確実に接続できて、回転力も伝達できるように構成されている。
【００２８】
図中４４は、連結具を示し、この連結具４４は、ドラム基筒１０の所定位置にに外表面がわから螺着されて、その先端部分が、撹拌羽根体Ｅの一部に係止状態となることによって、撹拌羽根体Ｅが回転ドラムＢと共に回転するように設けられたものであり、この連結具４４を取外すことによって、回転ドラムＢの回転力が撹拌羽根体Ｅに伝達されないようにしたものである。尚、連結具４４は、図示例のようなボルトタイプのものでも良いし、ピンタイプのものでも良いし、回転ドラムＢと撹拌羽根体Ｅとを確実に連繋したり、その連繋状態を解除したりすることが、簡単に行えるものであれば良い。
【００２９】
図６乃至図８に示すような一対の撹拌羽根体Ｆは、一対のドラム端部Ｃ、Ｄの下部左右に夫々設けた軸受を介して略平行に配されており、一方のドラム端部Ｃの軸受と他方のドラム端部Ｄの軸受とで回転自在に支えられる一対の回転軸５０と、この回転軸５０の軸心方向に沿って適宜間隔に配されると共に回転軸５０の回転方向に沿って適宜間隔に捩れた状態に配される複数の回転羽根片５１とからなっている。
【００３０】
また、図９に示すような一対の撹拌羽根体Ｆは、一対のドラム端部Ｃ、Ｄの下部左右に夫々設けた軸受を介して略平行に配されており、一方のドラム端部Ｃの軸受と他方のドラム端部Ｄの軸受とで回転自在に支えられる一対の回転軸５０と、この回転軸５０を囲繞するように配される略螺旋状に捩れた状態の回転羽根片５３と、この回転羽根片５３と回転軸５０とを連結する複数の連結片５４とからなっている。
【００３１】
そして、一方の撹拌羽根体Ｆは、例えば、有機性廃棄物等が処理ドラムの一端がわから他端がわに向って（或いは他端がわから一端がわに向って）移送されるように形成され、他方の撹拌羽根体Ｆは、例えば、有機性廃棄物等が処理ドラムの他端がわから一端がわに向って（或いは一端がわから他端がわに向って）移送されるように形成されている。すなわち、一対の撹拌羽根体Ｆによって、有機性廃棄物等が処理ドラム内下部に於いて、水平方向で略無端環状に循環するように移送され、有機性廃棄物等の撹拌が良好となるように構成されている。
【００３２】
尚、図中５２は、例えば、ドラム基筒１０の内表面に固定されている略アングル材状の固定羽根片で、この固定羽根片５２は、回転ドラムＢと共に回転して、処理ドラム内の有機性廃棄物等を連続的に掬い上げては落下せしめられるように構成されたものである。
【００３３】
前記囲繞外装体Ｇは、有機性廃棄物等の臭いや、回転ドラムＢの回転音等が外部に漏れないようにすると共に外観上の体裁が良好となるように、処理ドラム全体を確実に且つ簡単に囲繞できるように構成されたものである。尚、この囲繞外装体Ｇは、処理ドラム部分の熱が外部に逃げて、熱エネルギーの損失がおきないように断熱性を有する材料等を利用して構成しても良い。
【００３４】
また、囲繞外装体Ｇの他端がわには、排出口６１と、この排出口６１を開閉自在な排出蓋６２とが設けられており、更に、他方のドラム端部Ｄの排出部３５と、排出口６１とを結ぶような排出路６０が設けられている。すなわち、処理が終わった有機性廃棄物等を処理ドラムから排出するときに、排出部３５を開いて有機性廃棄物等が処理ドラム外に排出すると、排出路６０を経て排出口６１から囲繞外装体Ｇ外にスムーズに排出できるように構成されている。
更に、囲繞外装体Ｇの正面部分には、比較的大きな点検窓孔６５が開口されていると共に、この点検窓孔６５を開閉自在な点検窓蓋６６が設けられている。
【００３５】
尚、図中７０は、処理ドラム内に温風を強制的に送り込むための送風機を示し、図中７１は、空気を所望温度に上げられるように構成されているヒーターを示し、図中７２は、送風機７０や、ヒーター７１や、温風導入部３２や、温風排気部３７等を結ぶ管路を示し、図中７３は、温風排気部３７から処理ドラム外に排出される温風の一部或いは全部を温風導入部３２がわに再び導入できるようにするための排気切換レバーを示し、図中７４は、温風排気部３７から処理ドラム外に排出される温風の一部或いは全部を確実に脱臭してから囲繞外装体Ｇ外に排気できるようにした脱臭器である。
【００３６】
前記脱臭器７４は、例えば、適宜ケース本体と、このケース本体内に複数配される脱臭性の優れた酸化チタン吸着フィルターと、この酸化チタン吸着フィルターの上方に夫々配される蛍光灯と、ケース本体内上部の排気口近傍に配されるファンとを備え、処理ドラムからの温風を確実に脱臭してから排出できるように構成されている（図示せず）。
【００３７】
ところで、処理機の具体的構成、形状、寸法、材質、架台Ａの具体的構成、形状、寸法、材質、支持手段の具体的構成、支持ローラ１の具体的構成、形状、寸法、材質、数、配設位置、取付支持部２の具体的構成、形状、寸法、材質、配設位置、取付支持部３の具体的構成、形状、寸法、材質、配設位置、駆動手段の具体的構成、ギャードモータ４の具体的構成、配設位置、数、スプロケット５の具体的構成、形状、寸法、材質、回転ドラムＢの具体的構成、形状、寸法、材質、配設位置、ドラム基筒１０の具体的構成、形状、寸法、材質、窓孔部１１の具体的構成、形状、寸法、配設位置、数、窓蓋板１２の具体的構成、形状、寸法、材質、配設位置、数、通気孔１３の具体的構成、形状、寸法、配設位置、数、止具１４の具体的構成、形状、寸法、材質、配設位置、数、通気フィルター１５の具体的構成、形状、寸法、材質、配設位置、数、ガイドリング２０の具体的構成、形状、寸法、材質、配設位置、数、チェーン２１の具体的構成、形状、寸法、材質、配設位置、固定手段、ドラム端部Ｃ、Ｄの具体的構成、形状、寸法、材質、配設位置、投入部３０の具体的構成、形状、寸法、配設位置、取付アーム３１の具体的構成、形状、寸法、材質、配設位置、温風導入部３２の具体的構成、形状、寸法、配設位置、排出部３５の具体的構成、形状、寸法、配設位置、取付アーム３６の具体的構成、形状、寸法、材質、配設位置、温風排気部３７の具体的構成、形状、寸法、配設位置、撹拌羽根体Ｅの具体的構成、形状、寸法、材質、回転軸４０の具体的構成、形状、寸法、材質、羽根片４１の具体的構成、形状、寸法、材質、配設位置、数、短軸先端部４２の具体的構成、形状、寸法、材質、配設位置、数、中央連結片４３の具体的構成、形状、寸法、材質、配設位置、数、上縁頂部４４の具体的構成、形状、寸法、材質、配設位置、数、撹拌羽根体Ｆの具体的構成、形状、寸法、材質、配設位置、回転軸５０の具体的構成、形状、寸法、材質、配設位置、回転羽根片５１の具体的構成、形状、寸法、材質、数、配設位置、固定羽根片５２の具体的構成、形状、寸法、材質、数、配設位置、回転羽根片５３の具体的構成、形状、寸法、材質、配設位置、連結片５４の具体的構成、形状、寸法、材質、数、配設位置、囲繞外装体Ｇの具体的構成、形状、寸法、材質、排出路６０の具体的構成、形状、寸法、排出口６１の具体的構成、形状、寸法、配設位置、排出蓋６２の具体的構成、形状、寸法、材質、配設位置、点検窓孔６５の具体的構成、形状、寸法、配設位置、点検窓蓋６６の具体的構成、形状、寸法、材質、配設位置、送風機７０の具体的構成、寸法、配設位置、ヒーター７１の具体的構成、寸法、配設位置、管路７２の具体的構成、形状、寸法、材質、配設位置、切換レバー７３の具体的構成、形状、寸法、配設位置、脱臭器７４の具体的構成、寸法、配設位置等は図示例のもの等に限定されることなく適宜自由に設定、変更できるものである。
【００３８】
本発明の発酵及び乾燥処理機は、前述の如く構成されており、次にその使用例について説明すると、先ず、処理ドラム内に、水分調整材としてのおが屑（或いは、乾燥オカラ、その他）等を投入し、加えて、公知の微生物を混入し、この中に一般家庭や、企業等から出される生ゴミの如き有機性廃棄物を投入する。このとき、このとき、おが屑等と生ゴミの如き有機性廃棄物は、例えば、ドラム容量の約５０〜７０パーセント程度投入される。しかも、この内生ゴミの如き有機性廃棄物は、おが屑等の１／２〜１／１０程度の割合となるように設定される。
【００３９】
そして、連結具４４によって回転ドラムＢと撹拌羽根体Ｅを連繋せしめ、ギャードモータ４の駆動によって回転ドラムＢと一緒に撹拌羽根体Ｅを所定向きに回転せしめる。すると、処理ドラム内の有機性廃棄物等（おが屑と生ゴミの如き有機性廃棄物）は、一方の羽根片４１でドラムの回転向きに持上げられてから落下すると共に、有機性廃棄物等を一端がわから他端がわにゆっくり移動せしめられ、また、他方の羽根片４１でドラムの回転向きに持上げられてから落下すると共に、有機性廃棄物等を他端がわから一端がわにゆっくり移動せしめられ、処理ドラム内の有機性廃棄物等は、全体的に満遍なく移動しながらその通気性が良くなるように撹拌される。
このとき、適宜温風供給手段によって温度調節及び湿度調節された温風（或いは、熱風）が、温風導入部３２から処理ドラム内に供給され、混入された微生物の繁殖が促進されて、有機性廃棄物の発酵、分解が能率良く行われるようになる。ところで、有機性廃棄物等を乾燥せしめるときは、比較的温度の高い温風を温風導入部３２から供給し続けることで、有機性廃棄物等を能率良く乾燥できるようになる。
尚、有機性廃棄物等の撹拌は、混入された微生物の繁殖が促進されて、有機性廃棄物の発酵、分解が能率良く行われるよう定期的に所望の間隔をおいて行われる。
【００４０】
また、図６乃至図９に示すような発酵及び乾燥処理機にあっては、ギャードモータ４の駆動によって回転ドラムＢと一緒に固定羽根片５２を回転せしめる。すると、処理ドラム内の有機性廃棄物等は、固定羽根片５２によってドラムの回転向きに持上げられてから落下する。しかも、一対の撹拌羽根体Ｅの回転によって、処理ドラム下部の有機性廃棄物等は、無端環状に循環するように移動せしめられ、処理ドラム内の有機性廃棄物等は、全体的に満遍なく撹拌されると共に、その通気性が良くなるように撹拌される。このとき、適宜温風供給手段によって温度調節及び湿度調節された温風（或いは、熱風）が、温風導入部３２から処理ドラム内に供給され、混入された微生物の繁殖が促進されて、その発酵が能率良く行われるようになる。ところで、有機性廃棄物等を乾燥せしめるときは、比較的温度の高い温風を温風導入部３２から供給し続けることで、有機性廃棄物等を能率良く乾燥できるようになる。
尚、有機性廃棄物等の撹拌は、混入された微生物の繁殖が促進されて、有機性廃棄物の発酵、分解が能率良く行われるよう定期的に所望の間隔をおいて行われる。
【００４１】
更に、発酵、分解が終了した有機性廃棄物等や、乾燥が終了した有機性廃棄物等の一部或いは全部は、排出部３５、排出路６０、排出口６１を経て囲繞外装体Ｇ外に排出される。
【００４２】
それから、回転ドラムＢ内表面等に有機性廃棄物等が付着しているような場合は、連結具４４を弛めるか、取外して、撹拌羽根体Ｅが回転ドラムＢと共に回転しないようにしてから、ギャードモータ４を駆動させて、回転ドラムＢのみを回転せしめるようにする。すると、回転ドラムＢ内表面や撹拌羽根体Ｅの羽根片４１等に付着している有機性廃棄物等が擦れて落下するようになって、排出できるようになる。
【００４３】
【発明の効果】
従って、本発明の請求項１記載の発酵及び乾燥処理機は、生ゴミの如き有機性廃棄物等を発酵或いは乾燥処理して、肥料や飼料等として活用できるようにした発酵及び乾燥処理機であって、架台Ａに回転自在に横設される回転ドラムＢと、回転ドラムＢの一端部を塞ぐように架台Ａに取付け可能な一方のドラム端部Ｃと、回転ドラムＢの他端部を塞ぐように架台Ａに取付け可能な他方のドラム端部Ｄとで処理ドラムを形成し、この処理ドラムを全体的に覆う囲繞外装体Ｇを形成し、一方のドラム端部Ｃには、有機性廃棄物投入用の投入手段と、適宜温風供給手段からの温風を処理ドラム内に導入する温風導入部３２とを設け、他方のドラム端部Ｄには、発酵、乾燥処理された有機性廃棄物等を排出する排出部３５と、温風供給手段からの温風を処理ドラム外に排気する温風排気部３７とを設け、回転ドラムＢには、適数の窓孔部１１を形成すると共に、この窓孔部１１に装着される窓蓋板１２を形成し、この窓蓋板１２に複数の通気孔１３を穿設すると共に、窓蓋板１２の内表面を通気フィルター１５で覆うように形成したので、有機性廃棄物等の発酵或いは乾燥処理が、より短時間で、能率良く行えるようになり、有機性廃棄物等の肥料化や飼料化に最適な発酵及び乾燥処理機となる。しかも、取扱いが簡単で、メンテナンスも容易に行え、構成が簡素で、耐久性に優れ、量産に適し、比較的低廉に提供できるようになり、経済性の優れた発酵及び乾燥処理機となる。
【００４４】
特に、回転ドラムＢには、適数の窓孔部１１を形成すると共に、この窓孔部１１に装着される窓蓋板１２を形成し、この窓蓋板１２に複数の通気孔１３を穿設すると共に、窓蓋板１２の内表面を通気フィルター１５で覆うように形成したので、有機性廃棄物等が直に接触している回転ドラムＢ自体の通気性が良くなり、有機性廃棄物等全体の通気性が良好となる。しかも、通気フィルター１５により、通気孔１３から有機性廃棄物等が処理ドラム外に出るのを確実に阻止でき、しかも、処理ドラム内と処理ドラム外との十分な通気を確保できるようになり、処理ドラム内の有機性廃棄物等の発酵或いは乾燥処理がスムーズに行えるようになる。
【００４５】
加えて、処理ドラムを全体的に覆う囲繞外装体Ｇを形成してあるので、有機性廃棄物等の発酵或いは乾燥処理時に発生する臭いが囲繞外装体Ｇ外に漏れるようなことがなく、環境衛生上優れたものとなる。
【００４６】
また、請求項２記載の発酵及び乾燥処理機は、生ゴミの如き有機性廃棄物等を発酵或いは乾燥処理して、肥料や飼料等として活用できるようにした発酵及び乾燥処理機であって、架台Ａの上に回転自在に横設される回転ドラムＢと、回転ドラムＢの一端部を塞ぐように架台Ａの上に取付け可能な一方のドラム端部Ｃと、回転ドラムＢの他端部を塞ぐように架台Ａの上に取付け可能な他方のドラム端部Ｄとで処理ドラムを形成し、一対のドラム端部Ｃ、Ｄに回転自在となるよう支持される撹拌羽根体Ｅと、この撹拌羽根体Ｅが回転ドラムＢと一緒に回転したり、或いは撹拌羽根体Ｅの回転を阻止できるように形成される連繋手段と、処理ドラムを覆う囲繞外装体Ｇとを設け、一方のドラム端部Ｃには、有機性廃棄物投入用の投入手段と、適宜温風供給手段からの温風を処理ドラム内に導入する温風導入部３２とを設け、他方のドラム端部Ｄには、発酵、乾燥処理された有機性廃棄物等を排出する排出部３５と、温風供給手段からの温風を処理ドラム外に排気する温風排気部３７とを設け、回転ドラムＢには、適数の窓孔部１１を形成すると共に、この窓孔部１１に装着される窓蓋板１２を形成し、この窓蓋板１２に複数の通気孔１３を穿設すると共に、窓蓋板１２の内表面を通気フィルター１５で覆うように形成したので、有機性廃棄物等の発酵或いは乾燥処理が、より短時間で、能率良く行えるようになり、有機性廃棄物等の肥料化や飼料化に最適な発酵及び乾燥処理機となる。しかも、取扱いが簡単で、メンテナンスも容易に行え、構成が簡素で、耐久性に優れ、量産に適し、比較的低廉に提供できるようになり、経済性の優れた発酵及び乾燥処理機となる。
【００４７】
更に、回転ドラムＢには、適数の窓孔部１１を形成すると共に、この窓孔部１１に装着される窓蓋板１２を形成し、この窓蓋板１２に複数の通気孔１３を穿設すると共に、窓蓋板１２の内表面を通気フィルター１５で覆うように形成したので、有機性廃棄物等が直に接触している回転ドラムＢ自体の通気性が良くなり、有機性廃棄物等全体の通気性が良好となる。しかも、通気フィルター１５により、通気孔１３から有機性廃棄物等が処理ドラム外に出るのを確実に阻止でき、しかも、処理ドラム内と処理ドラム外との十分な通気を確保できるようになり、処理ドラム内の有機性廃棄物等の発酵或いは乾燥処理がスムーズに行えるようになる。
【００４８】
加えて、処理ドラムを全体的に覆う囲繞外装体Ｇを形成してあるので、有機性廃棄物等の発酵或いは乾燥処理時に発生する臭いが囲繞外装体Ｇ外に漏れるようなことがなく、環境衛生上優れたものとなる。
【００４９】
特に、一対のドラム端部Ｃ、Ｄに回転自在となるよう支持される撹拌羽根体Ｅと、この撹拌羽根体Ｅが回転ドラムＢと一緒に回転したり、或いは撹拌羽根体Ｅの回転を阻止できるように形成される連繋手段とを設けたので、回転ドラムＢと共に撹拌羽根体Ｅが回転した場合は、撹拌羽根体Ｅは処理ドラム内の有機性廃棄物等を持上げて落下させる働きをし、処理ドラム内の有機性廃棄物等をより通気性が良くなるよう均一に撹拌でき、最適な発酵或いは乾燥ができるようになり、ひいては、これらの処理時間の短縮に役立つようになる。
また、回転する回転ドラムＢに対して撹拌羽根体Ｅの回転を阻止するようにした場合は、回転ドラムＢを回転させるだけで、回転ドラムＢ内表面に付着した有機性廃棄物等や、撹拌羽根体Ｅに付着した有機性廃棄物等を簡単に落とすことができるようになる。
【００５０】
更に、請求項３記載の発酵及び乾燥処理機は、温風排気部３７から処理ドラム外に排気される温風の一部或いは全部を適宜切換手段によって、再び温風導入部３２から処理ドラム内に導入できるように構成したので、温風排気部３７から処理ドラム外に排気される温風の熱量を無駄なく利用できるようになると共に、処理ドラム内の温度が急激に低下するのを防止できるようになり、常時安定した発酵或いは乾燥処理が行えるようになる。
【図面の簡単な説明】
【図１】本発明の発酵及び乾燥処理機を例示する一部切欠正面図である。
【図２】本発明の発酵及び乾燥処理機を例示する一部切欠平面図である。
【図３】本発明の発酵及び乾燥処理機を例示する一部切欠側面図である。
【図４】本発明の発酵及び乾燥処理機を例示する一部切欠部分側面図である。
【図５】本発明の発酵及び乾燥処理機を例示する一部切欠正面図である。
【図６】本発明の発酵及び乾燥処理機の他の実施例を示す一部切欠正面図である。
【図７】本発明の発酵及び乾燥処理機の他の実施例を示す一部切欠平面図である。
【図８】本発明の発酵及び乾燥処理機の他の実施例を示す一部切欠側面図である。
【図９】本発明の発酵及び乾燥処理機の他の実施例を示す一部切欠部分平面図である。
【符号の説明】
Ａ　　　架台
１　　　支持ローラ　　　　　　　　　　２　　　取付支持部
３　　　取付支持部　　　　　　　　　　４　　　ギャードモータ
５　　　スプロケット
Ｂ　　　回転ドラム
１０　　ドラム基筒　　　　　　　　　　１１　　窓孔部
１２　　窓蓋板　　　　　　　　　　　　１３　　通気孔
１４　　止具　　　　　　　　　　　　　１５　　通気フィルター
２０　　ガイドリング　　　　　　　　　２１　　チェーン
Ｃ　　　ドラム端部
３０　　投入部　　　　　　　　　　　　３１　　取付アーム
３２　　温風導入部
Ｄ　　　ドラム端部
３５　　排出部　　　　　　　　　　　　３６　　取付アーム
３７　　温風排気部
Ｅ　　　撹拌羽根体
４０　　回転軸　　　　　　　　　　　　４１　　羽根片
４２　　端部連結片　　　　　　　　　　４３　　中央連結片
４４　　連結具
Ｆ　　　撹拌羽根体
５０　　回転軸　　　　　　　　　　　　５１　　回転羽根片
５２　　固定羽根片　　　　　　　　　　５３　　回転羽根片
５４　　連結片
Ｇ　　　囲繞外装体
６０　　排出路　　　　　　　　　　　　６１　　排出口
６２　　排出蓋
６５　　点検窓孔　　　　　　　　　　　６６　　点検窓蓋
７０　　送風機　　　　　　　　　　　　７１　　ヒーター
７２　　管路　　　　　　　　　　　　　７３　　切換レバー
７４　　脱臭器
【図１】
2004141791.tif 000003
【図２】
2004141791.tif 000004
【図３】
2004141791.tif 000005
【図４】
2004141791.tif 000006
【図５】
2004141791.tif 000007
【図６】
2004141791.tif 000008
【図７】
2004141791.tif 000009
【図８】
2004141791.tif 000010
【図９】
2004141791.tif 000011